(57)【要約】【課題】略立ち姿勢で着座可能な状態と、通常の着座姿勢で着座可能な状態と、を切り替えることのできる座席を提供する。【解決手段】座席１は、ポール部材１１と、ポール部材１１に対して上下動可能に連結された上スライダ１２１、中スライダ１２２と、一端部側が中スライダ１２２に対し上下方向回転可能に支持されるとともに他端部側に座部４０が立ち座り状態Ｘ１において前下方に傾斜して配設された第１リンク２１と、一端部側が上スライダ１２１に対し上下方向回転可能に支持されるとともに他端部側が第１リンク２１の一部に対し上下方向回転可能に支持され前側に背凭れ部３０が配設された第２リンク２２と、上スライダ１２１をポール部材１１に対して上下に駆動する駆動機構１３と、中スライダ１２２の下降に伴って第１リンク２１を中スライダ１２２に対して上方に回転させるリンク回転機構６０と、を備える。【選択図】図２
2017169789.tif 000002
【特許請求の範囲】
【請求項１】
略立ち姿勢の着座者の背部及び臀部を支持する立ち座り状態と通常の着座姿勢の着座者の背部及び臀部を支持する着座状態とを採ることができる座席であって、
該座席の後側において該座席が配設される構造体に対して上下方向に延びて固定された左右一対の柱状部材と、
該一対の柱状部材のそれぞれに対して一体として上下動可能に連結されるとともに前記立ち座り状態において上下に離隔して配設された上側の第１移動体、下側の第２移動体と、
一端部側が前記第２移動体に対し上下方向回転可能に支持されるとともに他端部側に着座者の臀部を支持する座部が前記立ち座り状態において前下方に傾斜して配設された第１リンクと、
一端部側が前記第１移動体に対し上下方向回転不能に支持されるとともに他端部側が前記第２移動体に上下方向回転不能に支持され前側に着座者の背部を支持する背凭れ部が前記立ち座り状態において前記柱状部材と略平行に延びて配設された、又は、一端部側が前記第１移動体に対し上下方向回転可能に支持されるとともに他端部側が前記第２移動体又は前記第１リンクの一部に対し上下方向回転可能に支持され前側に着座者の背部を支持する背凭れ部が前記立ち座り状態において前記柱状部材と略平行に延びて配設された、第２リンクと、
前記第１移動体又は前記第２移動体を前記柱状部材に対して上下に駆動する駆動機構と、
前記第２移動体の下降に伴って前記第１リンクを前記第２移動体に対して上方に回転させるリンク回転機構と、を備える座席。
【請求項２】
請求項１において、
前記リンク回転機構は、
前記一対の柱状部材のそれぞれに対して一体として上下動可能に連結されるとともに前記立ち座り状態において前記第２移動体から下方に離隔して配設された第３移動体と、
一端部側が前記第３移動体に対し上下方向回転可能に支持されるとともに他端部側が前記第２移動体より前側で前記第１リンクに対し上下方向回転可能に支持された第３リンクと、
前記一対の柱状部材の前記第３移動体より下側に配設され、前記第２移動体が下降したときに前記第３移動体の下降を禁止して前記第２移動体と前記第３移動体との相対距離を縮めるストッパと、を備える座席。
【請求項３】
請求項２において、
前記第２リンクは、一端部側が前記第１移動体に対し上下方向回転可能に支持されるとともに他端部側が前記立ち座り状態において前記第２移動体と前記座部との間かつ前記第２移動体の高さ位置と前記第３移動体の高さ位置との間で前記第１リンクに対し上下方向回転可能に支持される座席。
【請求項４】
請求項２又は請求項３において、
一端部側が前記第１リンクの他端部側に対し上下方向回転可能に支持されるとともに他端部側に着座者の大腿部を支持するクッション体が前記立ち座り状態において前記座部より低い高さ位置に位置するように配設された第４リンクと、
一端部側が前記第３リンクの一部に対し上下方向回転可能に支持された第５リンクと、
一端部側が前記第４リンクの一端部側以外で該第４リンクの一部に対し上下方向回転可能に支持された第６リンクと、
前記第５リンクの他端部側と前記第６リンクの他端部側とを前記立ち座り状態において前記第５リンクと前記第６リンクとが左右側面視で略Ｖ字状をなすように上下方向回転可能に連結するピン部材と、
前記第１リンクに配設され、該第１リンクが前記第２移動体に対して上方に回転したときにこの回転にともなって前記ピン部材を押し動かして前記第４リンクを前記第１リンクの他端部側に対して上方に回転させるガイド部と、を備える座席。
【請求項５】
請求項１から請求項４のいずれか１項において、
前記座席が前記着座状態にあるとき、前記座部の下部とフロアとの間で上下方向に延びて立設する支持部を備える座席。
【発明の詳細な説明】
【技術分野】
【０００１】
本発明は、座席に関する。
【背景技術】
【０００２】
特許文献１には、着座者の背部を支持する背凭れ部と、臀部を支持する座部と、を備えた座席が開示されている。この座席は着座者が略立ち姿勢で着座できる座席である。このため、座席の座部の臀部支持面は、略立ち姿勢の着座者の臀部を支持可能なように、略立ち姿勢の着座者の臀部から大腿部にかけての身体形状に対応して前下方に傾斜している。背凭れ部及び座部は、座部の下側に取付けられた支柱により支持されており、支柱高さ調整機構で支柱が上下に伸縮させられることにより高さの調整が可能となっている。
【先行技術文献】
【特許文献】
【０００３】
【特許文献１】特開２０１２−１９２９０１号公報
【発明の概要】
【発明が解決しようとする課題】
【０００４】
上記特許文献１に開示された座席においては、着座者は、略立ち姿勢で座席に着座しているため、少ない力で座席から起立することができる。このため、座席から起立する際の労力を軽減することができ、例えば、着座者が一旦座席に着座しても短時間で起立する必要のある状況において好ましい。しかし、略立ち姿勢での着座は着座者の足にかかる負担が大きいため、長時間着座していると着座者の足が疲労する。このため、着座者が一旦座席に着座したら長時間着座したままでいられる状況においては、略立ち姿勢から腰を低く落とした通常の着座姿勢に切り替えて着座したい、という要請があった。
【０００５】
かかる問題に鑑み本発明の課題は、略立ち姿勢で着座可能な状態と、通常の着座姿勢で着座可能な状態と、を切り替えることのできる座席を提供することにある。
【課題を解決するための手段】
【０００６】
本発明の第１発明は、略立ち姿勢の着座者の背部及び臀部を支持する立ち座り状態と通常の着座姿勢の着座者の背部及び臀部を支持する着座状態とを採ることができる座席であって、該座席の後側において該座席が配設される構造体に対して上下方向に延びて固定された左右一対の柱状部材と、該一対の柱状部材のそれぞれに対して一体として上下動可能に連結されるとともに前記立ち座り状態において上下に離隔して配設された上側の第１移動体、下側の第２移動体と、一端部側が前記第２移動体に対し上下方向回転可能に支持されるとともに他端部側に着座者の臀部を支持する座部が前記立ち座り状態において前下方に傾斜して配設された第１リンクと、一端部側が前記第１移動体に対し上下方向回転不能に支持されるとともに他端部側が前記第２移動体に上下方向回転不能に支持され前側に着座者の背部を支持する背凭れ部が前記立ち座り状態において前記柱状部材と略平行に延びて配設された、又は、一端部側が前記第１移動体に対し上下方向回転可能に支持されるとともに他端部側が前記第２移動体又は前記第１リンクの一部に対し上下方向回転可能に支持され前側に着座者の背部を支持する背凭れ部が前記立ち座り状態において前記柱状部材と略平行に延びて配設された、第２リンクと、前記第１移動体又は前記第２移動体を前記柱状部材に対して上下に駆動する駆動機構と、前記第２移動体の下降に伴って前記第１リンクを前記第２移動体に対して上方に回転させるリンク回転機構と、を備えることを特徴とする。
【０００７】
第１発明によれば、第１リンクは、一端部側が、第２移動体に上下方向回転可能に支持されており、他端部側に、座部が配設された構成となっている。この座部は、座席が立ち座り状態にあるとき前下方に傾斜している。このため、座部の臀部支持面の傾斜が、略立ち姿勢の着座者の臀部から大腿部にかけての身体形状に対応したものとなり、座部により略立ち姿勢の着座者の臀部を支持することが可能となる。この状態から、第２移動体を下降させると、これにともなって第１リンクが第２移動体に対して上方に回転するため、座部が前上がりに傾斜する。このため、座部の臀部支持面は、通常着座姿勢の着座者の臀部から大腿部にかけての身体形状に対応したものとなり、座部により通常の着座姿勢の着座者の臀部を支持することが可能となる。
【０００８】
本発明の第２発明は、第１発明において、前記リンク回転機構は、前記一対の柱状部材のそれぞれに対して一体として上下動可能に連結されるとともに前記立ち座り状態において前記第２移動体から下方に離隔して配設された第３移動体と、一端部側が前記第３移動体に対し上下方向回転可能に支持されるとともに他端部側が前記第２移動体より前側で前記第１リンクに対し上下方向回転可能に支持された第３リンクと、前記一対の柱状部材の前記第３移動体より下側に配設され、前記第２移動体が下降したときに前記第３移動体の下降を禁止して前記第２移動体と前記第３移動体との相対距離を縮めるストッパと、を備えることを特徴とする。
【０００９】
第２発明によれば、リンク回転機構を、第３移動体、第３リンク及びストッパを備えた簡潔な構成にすることができる。このリンク回転機構では、第２移動体を下降させると、第３移動体の下降がストッパに当接して禁止され、第２移動体と第３移動体との相対距離が縮まる。このため、第１リンクの一端部側と第３リンクの一端部とが接近して互いの連結部位を前側に押し出すように回転動作することになる。よって、第１リンクは、第２移動体に対して上方に回転することになる。
【００１０】
本発明の第３発明は、第２発明において、前記第２リンクは、一端部側が前記第１移動体に対し上下方向回転可能に支持されるとともに他端部側が前記立ち座り状態において前記第２移動体と前記座部との間かつ前記第２移動体の高さ位置と前記第３移動体の高さ位置との間で前記第１リンクに対し上下方向回転可能に支持されることを特徴とする。
【００１１】
第３発明によれば、前側に背凭れ部が配設されている第２リンクは、一端部側が、第１移動体に上下方向回転可能に支持されており、他端部側が、立ち座り状態において第２移動体と座部との間かつ第２移動体の高さ位置と第３移動体の高さ位置との間で第１リンクに対し上下方向回転可能に支持されている。このため、第２移動体が下降して第１リンクが第２移動体に対して上方に回転すると、第２リンクの他端部側が前方に移動させられることになり、背凭れ部が第２リンクの他端部側を中心に後方に傾斜する。よって、第２移動体を下降させることで、自動的に背凭れ部の背凭れ面を後方に倒すことができるため、着座者が上体を若干後傾させて着座した快適な着座姿勢を採ることができる。
【００１２】
本発明の第４発明は、上記第２発明又は上記第３発明において、一端部側が前記第１リンクの他端部側に対し上下方向回転可能に支持されるとともに他端部側に着座者の大腿部を支持するクッション体が前記立ち座り状態において前記座部より低い高さ位置に位置するように配設された第４リンクと、一端部側が前記第３リンクの一部に対し上下方向回転可能に支持された第５リンクと、一端部側が前記第４リンクの一端部側以外で該第４リンクの一部に対し上下方向回転可能に支持された第６リンクと、前記第５リンクの他端部側と前記第６リンクの他端部側とを前記立ち座り状態において前記第５リンクと前記第６リンクとが左右側面視で略Ｖ字状をなすように上下方向回転可能に連結するピン部材と、前記第１リンクに配設され、該第１リンクが前記第２移動体に対して上方に回転したときにこの回転にともなって前記ピン部材を押し動かして前記第４リンクを前記第１リンクの他端部側に対して上方に回転させるガイド部と、を備えることを特徴とする。
【００１３】
略立ち姿勢で座席に着座する際には、座部の前端部が着座者の大腿部に当接すると、圧迫感が生じて座り心地の悪化を招くおそれがあった。このため、略立ち姿勢での着座時には、座部の前後方向の長さが着座者の大腿部に当接しない程度の長さであることが好ましい。一方、通常の着座姿勢で座席に着座する際には、着座者の着座姿勢を安定させて座り心地を確保する観点から、座部の前後方向の長さが着座者の大腿部に当接可能な長さであることが好ましい。第４発明によれば、座席が立ち座り状態にあるとき、第４リンクのクッション体は座部より低い高さ位置に位置される。そして、第２移動体が下降したとき、第４リンクが第１リンクの他端部側に対して上方に回転するため、第４リンクのクッション体が座部に対して前上がりに傾斜する。このため、座席が立ち座り状態にあるときは着座者の臀部のみを支持して大腿部を支持せず、座席が着座状態にあるときは着座者の臀部と大腿部とを支持することができる。このため、立ち座り状態、及び、着座状態の両方における座席の座り心地向上を図ることができる。
【００１４】
本発明の第５発明は、上記第１発明から上記第４発明のいずれか１つにおいて、前記座席が前記着座状態にあるとき、前記座部の下部とフロアとの間で上下方向に延びて立設する支持部を備えることを特徴とする。
【００１５】
第５発明によれば、座席が着座状態にあるとき、座部とフロアとの間で支持部が立設することになる。このため、標準着座姿勢で座席に着座している着座者の体重を、支持部を介して、フロアに対ししっかり支持することができる。
【図面の簡単な説明】
【００１６】
【図１】本発明の一実施形態に係る座席を小型コミューターカーに取付けた状況を示す側面図である。
【図２】上記実施形態の座席が略立ち姿勢で着座可能な立ち座り状態にあるときを示す側面図である。
【図３】上記実施形態の座席が略立ち姿勢で着座可能な立ち座り状態の下限位置にあるときを示す側面図である。
【図４】上記実施形態の座席が通常の着座姿勢で着座可能な着座状態にあるときを示す側面図である。
【図５】上記実施形態の座席の分解斜視図である。
【発明を実施するための形態】
【００１７】
図１〜図５は、本発明の一実施形態を示す。本実施形態は、いわゆるコミューターカーと呼ばれる小型車両の客席に本発明を適用した例を示す。各図中、矢印により座席を車両に取付けたときの車両の各方向を示している。以下の説明において、方向に関する記述は、この方向を基準として行うものとする。
【００１８】
図１〜図４に示すように、座席１は、車両ＣのフロアＦや図示しない天井部等の車両本体に固定されたポール部材１１と、ポール部材１１に組付けられた上スライダ１２１、中スライダ１２２及び下スライダ１２３と、第１〜第６リンク２１〜２６と、を備える。座席１は、着座者が略立ち姿勢で着座できる立ち座り状態Ｘ１（図２参照）と、通常の着座姿勢で着座できる着座状態Ｘ２（図４参照）と、を採ることができる構成となっている。
【００１９】
図２及び図５に示すように、ポール部材１１は、左右一対に設けられた金属製の丸棒部材であり、後傾した状態で互いに平行に上下方向に延びている。左右のポール部材１１間の間隔は、背凭れ部３０の左右寸法より若干小さい。また、ポール部材１１の下端部のフロアＦより若干上方部位には、ポール部材１１の他の部位より半径が大となっているフランジ状のストッパ１８が固定されている。ポール部材１１が、特許請求の範囲の「柱状部材」に相当する。
【００２０】
図２及び図５に示すように、上スライダ１２１、中スライダ１２２及び下スライダ１２３は、それぞれ金属製の中空略円筒状の部材であり、上下方向に延びる円筒形部の外筒部の前部が前後方向に延びる板状部に形成されている。上スライダ１２１、中スライダ１２２及び下スライダ１２３の円筒形部は、その内筒部の直径がポール部材１１の外径よりわずかに大きく、内筒部の内側面にポール部材１１の外周面に対する摩擦抵抗の少ない樹脂皮膜がコーティングされた構成となっている。上スライダ１２１、中スライダ１２２及び下スライダ１２３は、上記円筒形部の内筒部にポール部材１１が挿入されることで、左右のポール部材１１にそれぞれ上下摺動自在に組み付けられる。上スライダ１２１、中スライダ１２２及び下スライダ１２３は、左右のポール部材１１に１つずつ組付けられており、上から順に、上スライダ１２１、中スライダ１２２、下スライダ１２３と並ぶように配設される。左右の上スライダ１２１は、後に詳述する第１シャフトＳ１及び可動連結板１３２により連結されており、一体として動く構成となっている。これと同様に、左右の中スライダ１２２は後に詳述する第２シャフトＳ２により連結されて一体として動く構成となっており、左右の下スライダ１２３は後に詳述する第４シャフトＳ４により連結されて一体として動く構成となっている。左右の上スライダ１２１が、特許請求の範囲の「第１移動体」に相当する。左右の中スライダ１２２が、特許請求の範囲の「第２移動体」に相当する。左右の下スライダ１２３が、特許請求の範囲の「第３移動体」に相当する。
【００２１】
図２〜図５に示すように、第１リンク２１は、厚さ方向が左右方向と一致するように配設された左右一対の金属製のリンクプレートであり、立ち座り状態Ｘ１において略前下方に傾斜して延びる形状に形成されている。より詳細には、第１リンク２１は、立ち座り状態Ｘ１において前下方に傾斜して直線状に延びる前方延設部２１１と、前方延設部２１１の後端部から屈曲してより急勾配で後上方に傾斜して延びる後方延設部２１２と、を備えている。また、前方延設部２１１の前後方向中央部より若干後側下部には、立ち座り状態Ｘ１において前方に張り出す略円弧状に湾曲して下方に延びる下方延設部２１３が形成されている。下方延設部２１３には、その外形の湾曲形状に対応して延びるガイド長孔２１３Ａが形成されている。左右の第１リンク２１の後方延設部２１２の後端部は、それぞれ、左右の中スライダ１２２の前部に対し上下方向回転可能に支持される。左右の第１リンク２１の前方延設部２１１の前端部側上面には、後に詳述する座部４０が配設される。なお、第１リンク２１の各部の寸法及び連結部位の位置は、座席１が通常の着座姿勢で着座可能な着座状態Ｘ２にあるときに、下方延設部２１３の下端部がフロアＦに当接し、かつ、前方延設部２１１が前方斜め上方へ向けて傾斜して延びた姿勢を採ることのできるものとなっている。また、ガイド長孔２１３Ａの長さ及び曲率は、座席１が略立ち姿勢で着座できる立ち座り状態Ｘ１にあるときに、後に詳述する第３ピンＰ３がガイド長孔２１３Ａの下端部に位置し、座席１が通常の着座姿勢で着座できる着座状態Ｘ２にあるときに、上記第３ピンＰ３がガイド長孔２１３Ａの上端部に位置し、立ち座り状態Ｘ１と着座状態Ｘ２との間においては、第３ピンＰ３がガイド長孔２１３Ａに沿って滑らかに摺動可能なものとなっている。下方延設部２１３が、特許請求の範囲の「ガイド部」に相当する。さらに、下方延設部２１３は、特許請求の範囲の「支持部」にも相当する。
【００２２】
図２〜図５に示すように、第２リンク２２は、厚さ方向が左右方向と一致するように配設された左右一対の金属製のリンクプレートであり、立ち座り状態Ｘ１においてポール部材１１と平行に上下方向に延びる略直線形状に形成されている。第２リンク２２の上端部には、後方に屈曲して延びる上突部２２Ａが形成されており、第２リンク２２の下端部には、後下方に傾斜して延びる下突部２２Ｂが形成されている。左右の第２リンク２２の上突部２２Ａは、それぞれ、左右の上スライダ１２１の前部に対し上下方向回転可能に支持される。そして、左右の第２リンク２２の下突部２２Ｂは、それぞれ、左右の第１リンク２１の後方延設部２１２の前端部に対し上下方向回転可能に支持される。なお、第２リンク２２は、後に詳述する背凭れ部３０の左右両側に１つずつ埋設されており、上突部２２Ａが背凭れ部３０の上側後面から外部に突出し、下突部２２Ｂが背凭れ部３０の下面から外部に突出する構成となっている。
【００２３】
図２〜図５に示すように、第３リンク２３は、厚さ方向が左右方向と一致するように配設された左右一対の金属製のリンクプレートであり、立ち座り状態Ｘ１において前上方に傾斜して延びる略直線形状に形成されている。左右の第３リンク２３の後端部は、それぞれ、左右の下スライダ１２３の前部に対し上下方向回転可能に支持される。そして、左右の第３リンク２３の前端部は、左右の第１リンク２１の後方延設部２１２の前端部に対し上下方向回転可能に支持される。なお、第３リンク２３の各部の寸法及び連結部位の位置は、座席１が立ち座り状態Ｘ１にあるときに、第３リンク２３と第１リンク２１の後方延設部２１２とで後側の開いた略Ｖ字形状をなす姿勢を採り、座席１が着座状態Ｘ２にあるときに、第３リンク２３と第１リンク２１の前方延設部２１１とで略直線形状をなす姿勢を採り、立ち座り状態Ｘ１と着座状態Ｘ２との間においては、上記２姿勢の間で後述する第４シャフトＳ４を中心に下スライダ１２３に対して上下方向に回転可能なものとなっている。第３リンク２３と下スライダ１２３とが、リンク回転機構６０を構成している。
【００２４】
図２〜図５に示すように、第４リンク２４は、厚さ方向が左右方向と一致するように配設された左右一対の金属製のリンクプレートであり、立ち座り状態Ｘ１において前下方に急勾配で傾斜して延びる略直線形状に形成されている。第４リンク２４の立ち座り状態Ｘ１における後端部より若干前側には、後下方に延びる突部２４Ａが形成されている。左右の第４リンク２４の後端部は、それぞれ、左右の第１リンク２１の前方延設部２１１の前端部に対し上下方向回転可能に支持される。左右の第４リンク２４の前側部前上面には、後に詳述するクッション体５０が配設される。
【００２５】
図２〜図５に示すように第５リンク２５は、厚さ方向が左右方向と一致するように配設された左右一対の金属製のリンクプレートであり、立ち座り状態Ｘ１において前下方に傾斜して延びる略直線形状に形成されている。左右の第５リンク２５の後端部は、それぞれ、左右の第３リンク２３の延設方向中央部に対し上下方向回転可能に支持される。第６リンク２６は、厚さ方向が左右方向と一致するように配設された左右一対の金属製のリンクプレートであり、立ち座り状態Ｘ１において前上方に傾斜して延びる略直線形状に形成されている。左右の第６リンク２６の前端部は、それぞれ、左右の第４リンク２４の突部２４Ａに対し上下方向回転可能に支持される。そして、左右の第６リンク２６の後端部は、それぞれ、左右の第５リンク２５の前端部に対し上下方向回転可能に支持される。なお、第５リンク２５及び第６リンク２６の各部の寸法及び連結部位の位置は、座席１が立ち座り状態Ｘ１にあるときに、第５リンク２５と第６リンク２６とが左右側面視で略Ｖ字状をなす姿勢を採り、座席１が着座状態Ｘ２にあるときに、第５リンク２５と第６リンク２６とが互いの連結部位がわずかに下方へ張り出すように屈曲した略直線状をなす姿勢を採り、立ち座り状態Ｘ１と着座状態Ｘ２との間においては、第３ピンＰ３がガイド長孔２１３Ａに沿って上下に摺動することにより上記２姿勢の間で回転可能なものとなっている。
【００２６】
図２又は図５に示すように、背凭れ部３０は、着座者の背部を支持可能な部材であり、略面状に形成されている。背凭れ部３０は、略面状の硬質な基材を発泡ウレタンパッドで覆いその上からファブリック又は皮革で覆った構成とされている。背凭れ部３０は、立ち座り状態Ｘ１においてポール部材１１と略平行に延びており、この前側の面が背凭れ面となっている。背凭れ部３０の基材の左右両側には、第２リンク２２が一体的に取付けられている。
【００２７】
図２又は図５に示すように、座部４０は、着座者の臀部を支持可能な部材であり、略矩形状に形成されている。座部４０は、略矩形状の基材を発泡ウレタンパッドで覆いその上からファブリック又は皮革で覆った構成とされている。座部４０は、立ち座り状態Ｘ１において前下方に傾斜して配設されており、この前上側の面が臀部支持面となっている。座部４０は、上記基材の下部四隅から下方に突出しているブラケットと第１リンク２１の前方延設部２１１とが図示しない締結ボルトにより締結されることで、第１リンク２１に取付けられている。
【００２８】
図２〜図５に示すように、クッション体５０は、略矩形状の基材を発泡ウレタンパッドで覆いその上からファブリック又は皮革で覆った構成とされている。クッション体５０は、立ち座り状態Ｘ１において前下方に急勾配で傾斜しており、座部４０より低い高さ位置に配設されている。クッション体５０の基材には、脚部５３が取付けられている。脚部５３は、立ち座り状態Ｘ１においてクッション体５０から後下方に傾斜して延びる左右一対の縦棒部と、縦棒部の下端部同士を連結するように左右に延びる横棒部と、を備えたＵ字形のパイプ部材から構成されている。クッション体５０は、上記基部の左右両側と第４リンク２４の前側部前上面とが固着されることで、第４リンク２４に取付けられている。クッション体５０は、着座状態Ｘ２において座部４０の前端部に接続して着座者の身体を支持可能な面積を前方に延長するための部材である。なお、クッション体５０の各部の寸法及び連結部位の位置は、座席１が立ち座り状態Ｘ１にあるときに、脚部５３が後下方に延びて第１リンク２１の下方延設部２１３の間に収容された姿勢を採り、座席１が着座状態Ｘ２にあるときに、脚部５３が前下方に延びてその下端部をフロアＦに当接させた状態でクッション体５０の脚部５３とは反対側の面である平面部５０Ａが水平より前端部をわずかに上方に位置させた姿勢を採り、立ち座り状態Ｘ１と着座状態Ｘ２との間においては、上記２姿勢の間で後述する第１ピンＰ１を中心に上下回転可能なものとなっている。
【００２９】
図２〜図５に示すように、駆動機構１３は、左右方向に延びて左右のポール部材１１同士を連結する固定連結板１３１と、左右方向に延びて左右の上スライダ１２１同士を連結する可動連結板１３２と、固定連結板１３１の上面部に固定されたねじ送り装置１３３と、ねじ送り装置１３３に装着された雄ねじ部材１３４と、ねじ送り装置１３３に駆動力を伝達するモータ１３６と、を備えている。固定連結板１３１は、その厚み方向がポール部材１１の延びる方向と一致しており、着座状態Ｘ２において上スライダ１２１の下端部が当接する高さ位置に配設されている。可動連結板１３２は、その厚み方向がポール部材１１の延びる方向と一致しており、固定連結板１３１と平行に配設されている。ねじ送り装置１３３は、固定連結板１３１の厚み方向に延びる装着孔を備えており、モータ１３６から伝達された駆動力を上記装着孔に装着された雄ねじ部材１３４をねじ送り回転させるための回転力に変換することのできる構成となっている。雄ねじ部材１３４は、固定連結板１３１及び可動連結板１３２を貫通して延びており、その上端部が可動連結板１３２の左右方向中央部位に回転可能な状態で上下方向に固定されている。モータ１３６は、直流モータであり、減速機１３５を介してねじ送り装置１３３に駆動力を伝達させられるように連結している。
【００３０】
図２及び図５に基づいて、座席１を構成する各部材の連結構造について説明する。座席１を構成する各部材は、左右方向に延びて左右一対の構成部材間を架橋する複数のシャフトＳ、又は、左右一対の構成部材を左右別々に連結する複数のピンＰによって連結される。なお、図５では、図を見易くするためにピンＰを省略して図示している。
【００３１】
すなわち、左右の第２リンク２２の上突部２２Ａと、左右の上スライダ１２１の前部と、は、第１シャフトＳ１によって上下方向回転可能に連結される。そして、左右の第１リンク２１の後方延設部２１２の後端部と、左右の中スライダ１２２の前部と、は、第２シャフトＳ２によって上下方向回転可能に連結される。そして、左右の第２リンク２２の下突部２２Ｂと、左右の第１リンク２１の後方延設部２１２の前端部と、左右の第３リンク２３の前端部と、は、座席１の幅方向外側から内側に向かってこの順に重ね合わされた状態で、第３シャフトＳ３によって上下方向回転可能に連結される。そして、左右の第３リンク２３の後端部と、左右の下スライダ１２３の前部と、は、第４シャフトＳ４によって上下方向回転可能に連結される。
【００３２】
一方、左右の第４リンク２４の後端部と、左右の第１リンク２１の前方延設部２１１の前端部と、は、座席１の幅方向外側から内側に向かってこの順に重ね合わされた状態で、第１ピンＰ１によってそれぞれ回転可能に連結される。そして、左右の第５リンク２５の後端部と、左右の第３リンク２３の延設方向中央部と、は、座席１の幅方向外側から内側に向かってこの順に重ね合わされた状態で、第２ピンＰ２によってそれぞれ上下方向回転可能に連結される。そして、左右の第６リンク２６の後端部と、左右の第５リンク２５の前端部と、は、座席１の幅方向外側から内側に向かってこの順に重ね合わされた状態で、第３ピンＰ３によってそれぞれ上下方向回転可能に連結される。そして、左右の第６リンク２６の前端部と、左右の第４リンク２４の突部２４Ａと、は、座席１の幅方向外側から内側に向かってこの順に重ね合わされた状態で、第４ピンＰ４によってそれぞれ上下方向回転可能に連結される。なお、第３ピンＰ３は、第１リンク２１のガイド長孔２１３Ａに挿入された状態で抜け止めされる。第３ピンＰ３が、特許請求の範囲の「ピン部材」に相当する。
【００３３】
図１〜図４に基づいて、座席１の動作について説明する。座席１が立ち座り状態Ｘ１にあるとき、左右の第１リンク２１が前下方に向けて傾斜して延びた状態となる。これにより、左右の第１リンク２１の前方延設部２１１の前端部上側に固定された座部４０が、臀部支持面を前下方に傾斜させた姿勢となる。このため、着座者は、図１の実線に示すような略立ち姿勢で座部４０の臀部支持面に臀部を支持させることができるため、座席１に略立ち姿勢で着座できる。このとき、クッション体５０の脚部５３が左右の第１リンク２１の下方延設部２１３の間の空間に収容され、クッション体５０の平面部５０Ａが座部４０の臀部支持面より急勾配で前下方に傾斜して延びた状態となる。
【００３４】
座席１が立ち座り状態Ｘ１にあるときに、駆動機構１３のモータ１３６を動作させて螺合作用により雄ねじ部材１３３を下方移動させると、可動連結板１３２が下方移動して固定連結板１３１に接近していく。これによって、左右の上スライダ１２１が下方移動すると同時に、左右の中スライダ１２２及び下スライダ１２３が下方に従動していく。なお、上スライダ１２１、中スライダ１２２及び下スライダ１２３の相対的な位置関係は、下スライダ１２３が図２示すようなストッパ１８に当接しない高さ位置から図３に示すようなストッパ１８に当接した瞬間の高さ位置までの範囲で移動する場合には、図２に示す位置関係のまま保持される。すなわち、上記範囲では、座席１を立ち座り状態Ｘ１に保持したまま、背凭れ部３０及び座部４０を下方移動させることができる。よって、標準的な体格より小柄な着座者であっても、上記範囲内であれば座部４０の高さ位置を調整して略立ち姿勢で座席１に着座することができる。
【００３５】
モータ１３６を動作させて左右の上スライダ１２１を下方移動させていくと、やがて、下スライダ１２３がストッパ１８に当接し、下スライダ１２３の下方移動が禁止された状態となる。この状態からさらに左右の上スライダ１２１を下方移動させると、左右の中スライダ１２２と下スライダ１２３とが相対的に接近していく。このため、左右の中スライダ１２２に後端部を支持されている第１リンク２１と、左右の下スライダ１２３に後端部支持されている第３リンク２３と、が第３シャフトＳ３を前方に押し出すようにそれぞれ回転していき、座部４０が第３シャフトＳ３を中心に上方回転していく。これと同時に、第１として、第２リンク２２の下突部２２Ｂが第３シャフトＳ３によって第１リンク２１に連結されているため、背凭れ部３０の下端部が前方移動していき、背凭れ部３０の背凭れ面が後傾していく。さらに、第２として、第１リンク２１の回転にともなって、第１リンク２１の下方延設部２１３が第３ピンＰ３を前上方に押圧してガイド長孔２１３Ａに沿って相対的に上方移動させるため、第５リンク２５及び第６リンク２６が伸び、第４リンク２４が第１ピンＰ１を中心に上方に回転する。そして、図４に示すように、左右の上スライダ１２１が固定連結板１３１に当接すると、座部４０の臀部支持面が前上方へ傾斜して延びるとともに、クッション体５０の平面部５０Ａが座部４０の臀部支持面と連続して前上方へ傾斜して延びた状態となる。このため、着座者は、略立ち姿勢から腰を低く落とした図１の二点鎖線に示すような通常の着座姿勢で座部４０の臀部支持面に臀部を支持させることができる。すなわち、座席１が、通常の着座姿勢で着座可能な着座状態Ｘ２となる。なお、座席１が着座状態Ｘ２にあるとき、座部４０の下方延設部２１３の下端部と、クッション体５０の脚部５３と、が、フロアＦに当接して立設した状態となる。
【００３６】
座席１が着座状態Ｘ２にあるときに、モータ１３６を逆回転に動作させて螺合作用により雄ねじ部材１３４を上方移動させると、可動連結板１３２が上方移動して固定連結板１３１から離れていく。これにより、左右の上スライダ１２１が上方移動するため、第２リンク２２と第１リンク２１の後方延設部２１２とを介して、左右の中スライダ１２２が上方に引き上げられる。左右の中スライダ１２２が上方に引き上げられていくと、中スライダ１２２と下スライダ１２３との相対距離が離れていく。このため、第１リンク２１と第３リンク２３とが第３シャフトＳ３を後方に引き戻すようにそれぞれ回転して、座部４０が前下がりに傾斜していく。これと同時に、第１として、背凭れ部３０の下端部が後側に移動し、背凭れ面の後傾が元に戻る。そして、第２として、ガイド長孔２１３Ａに沿って相対的に第３ピンＰ３が下方移動させられ、第５リンク２５と第６リンク２６とが屈曲していく。そして、図２に示すように、下スライダ１２３がストッパ１８から離れると、座席１は元の状態に戻る。
【００３７】
以上のように構成される本実施形態は、以下のような作用効果を奏する。第１リンク２１は、後端部が、中スライダ１２２に上下方向回転可能に支持されており、前端部に、座部４０が配設された構成となっている。この座部４０は、座席１が立ち座り状態Ｘ１にあるとき前下方に傾斜している。このため、座部４０の臀部支持面の傾斜が、略立ち姿勢の着座者の臀部から大腿部にかけての身体形状に対応したものとなり、座部４０により略立ち姿勢の着座者の臀部を支持することが可能となる。この状態から、中スライダ１２２を下降させると、下スライダ１２３の下降がストッパ１８に当接して禁止され、中スライダ１２２と下スライダ１２３との相対距離が縮まる。このため、第１リンク２１の後端部と第３リンク２３の後端部とが接近して第３シャフトＳ３を前側に押し出すように回転動作することになる。よって、第１リンク２１は、中スライダ１２２に対して上方に回転することになる。これにより、座部４０が前上がりに傾斜する。このため、座部４０の臀部支持面は、左右の下スライダ１２３及び第３リンク２３という簡便な構成のリンク回転機構６０の働きによって通常着座姿勢の着座者の臀部から大腿部にかけての身体形状に対応したものとなり、座部４０により通常の着座姿勢の着座者の臀部を支持することが可能となる。
【００３８】
さらに、前側に背凭れ部３０が配設されている第２リンク２２は、上端部側が、上スライダ１２１に上下方向回転可能に支持されており、下端部側が、立ち座り状態Ｘ１において中スライダ１２２と座部４０との間かつ中スライダ１２２の高さ位置と下スライダ１２３の高さ位置との間で第１リンク２１に対し上下方向回転可能に支持されている。このため、中スライダ１２２が下降して第１リンク２１が中スライダ１２２に対して上方に回転すると、背凭れ部３０の下端部が前方に移動させられることになる。よって、中スライダ１２２を下降させることで、自動的に背凭れ部３０の背凭れ面を後方に倒すことができるため、着座者が上体を若干後傾させて着座した快適な着座姿勢を採ることができる。
【００３９】
さらに、座席１が立ち座り状態Ｘ１にあるとき、クッション体５０は座部４０より低い高さ位置に位置される。そして、中スライダ１２２が下降したとき、第４リンク２４が第１リンク２１の前端部側に対して上方に回転するため、クッション体５０が座部４０に対して相対的に前上がりに傾斜する。このため、座席１が立ち座り状態Ｘ１にあるときは着座者の臀部のみを支持して大腿部は支持せず、座席が着座状態Ｘ２にあるときは着座者の臀部と大腿部とを支持することができる。このため、立ち座り状態、及び、着座状態の両方における座席１の座り心地向上を図ることができる。
【００４０】
さらに、座席１が着座状態Ｘ２にあるとき、座部４０とフロアＦとの間で下方延設部２１３が立設する構成となっている。このため、標準着座姿勢で座席１に着座している着座者の体重を、下方延設部２１３を介して、フロアＦに対ししっかり支持することができる。また、座席１が着座状態Ｘ２にあるとき、クッション体５０の脚部５３が、クッション体５０とフロアＦとの間で立設する構成となっている。このため、クッション体５０に印加される着座者の体重も、脚部５３を介して、フロアＦに対ししっかり支持することができる。
【００４１】
以上、特定の実施形態について説明したが、本発明は、それらの外観、構成に限定されず、本発明の要旨を変更しない範囲で種々の変更、追加、削除が可能である。例えば、次のようなものが挙げられる。
【００４２】
１．上記実施形態においては、ポール部材１１は、車両ＣのフロアＦ及び天井部に固定されている構成とした。しかし、これに限定されず、例えば、ポール部材１１が車両Ｃの壁面に固定されている構成であってもよい。
【００４３】
２．上記実施形態においては、第２リンク２２の上突部２２Ａが上スライダ１２１の前部に対し上下方向回転可能に支持され、かつ、下突部２２Ｂが第１リンク２１の後方延設部２１２の前端部に対し上下方向回転可能に支持された構成とした。しかし、これに限定されない。すなわち、例えば、下突部２２Ｂが中スライダ１２２の前部に対し上下方向回転可能に支持された構成であってもよい。他にも、上突部２２Ａが上スライダ１２１の前部に対し上下方向回転不能に連結され、かつ、下突部２２Ｂが中スライダ１２２の前部に対し上下方向回転不能に連結された構成であってもよい。これらの構成では、上スライダ１２１を下方移動させても背凭れ部３０の背凭れ面の傾斜角度は一定に保持されるが、座部４０は上記実施形態と同様に前上がりに傾斜する。
【００４４】
３．上記実施形態においては、特に言及しなかったが、座席１の各構成部材間の連結部位に、座席１の動作を補助する付勢力を印加するトーションばね等の補助部材を取付けることもできる。例えば、第３シャフトＳ３にトーションばねを取付けることもできる。かかる構成では、第３シャフトＳ３が常に第２シャフトＳ２と第４シャフトＳ４とを結んだラインより前側に位置するように、第１リンク２１と第３リンク２３とを付勢することもできる。
【００４５】
４．上記実施形態においては、クッション体５０を設けたが、クッション体５０の無い構成であってもよい。かかる構成では、例えば、第１リンク２１の下方延設部２１３、第４リンク２４、第５リンク２５、第６リンク２６及びクッション体５０等を省略することもできる。
【００４６】
５．上記実施形態においては、駆動機構１３が上スライダ１２１に連結しており、上スライダ１２１を上下移動させることで、中スライダ１２２及び下スライダ１２３を上下に従動させる構成とした。しかし、これに限定されず、例えば、駆動機構１３が中スライダ１２２に連結しており、中スライダ１２２を上下移動させることで、上スライダ１２１及び下スライダ１２３を上下に従動させる構成にすることもできる。
【００４７】
６．上記実施形態においては、ポール部材１１に上スライダ１２１、中スライダ１２２及び下スライダ１２３が組付けられており、これらのスライダを介して背凭れ部３０や座部４０が取付けられる構成とした。しかし、これに限定されず、例えば、ポール部材１１の代わりに、車両Ｃに固定される固定側レール部材を備え、上スライダ１２１、中スライダ１２２及び下スライダ１２３の代わりに、固定側レール部材に対して摺動可能に嵌合した可動側レール部材を上中下の３種類備えた構成であってもよい。すなわち、背凭れ部３０や座部４０が、可動側レール部材を介して固定側レール部材に取付けられている構成であってもよい。
【００４８】
７．上記実施形態においては、本発明を小型車両である車両Ｃの座席に適用したが、普通自動車、飛行機、船、電車等に搭載される座席に適用してもよい。
【符号の説明】
【００４９】
１        座席
１１      ポール部材（柱状部材）
１２１    上スライダ（第１移動体）
１２２    中スライダ（第２移動体）
１２３    下スライダ（第３移動体）
１３      駆動機構
１８      ストッパ
２１      第１リンク
２１３    下方延設部（ガイド部、支持部）
２２      第２リンク
２３      第３リンク
２４      第４リンク
２５      第５リンク
２６      第６リンク
３０      背凭れ部
４０      座部
５０      クッション体
６０      リンク回転機構
Ｐ３      第３ピン（ピン部材）
Ｘ１      立ち座り状態
Ｘ２      着座状態
【図１】
2017169789.tif 000003
【図２】
2017169789.tif 000004
【図３】
2017169789.tif 000005
【図４】
2017169789.tif 000006
【図５】
2017169789.tif 000007